(57)【要約】【課題】水又は液体の螺着位置への漏れを防止でき、加工が容易となる漏れ防止機能付き噴霧ノズルを提供する。【解決手段】軸方向の一端が第１端２１であり、軸方向の他端が第２端２２であり、第１端２１に入り口２３が設けられ、第２端２２に出口２４が設けられ、通路２５が入り口２３と出口２４を連通する本体２０と、本体２０の第２端２２に組付けられる密封蓋３０と、本体２０の通路２５の内部に移動可能に収容される回転子４０と、本体２０と密封蓋３０の間に組み付けられる漏れ防止リング６０と、を含む。本体２０の第２端２２は環状を呈する収容溝７０を有する。収容溝７０が漏れ防止リング６０を受ける。【選択図】図２
0003171412.tif 000002
【実用新案登録請求の範囲】
【請求項１】
軸方向の一端が第１端（２１）であり、軸方向の他端が第２端（２２）であり、前記第１端（２１）に入り口（２３）が設けられ、前記第２端（２２）に出口（２４）が設けられ、通路（２５）が前記入り口（２３）と前記出口（２４）を連通する本体（２０）と、
前記本体（２０）の前記第２端（２２）に組付けられる密封蓋（３０）と、
前記本体（２０）の前記通路（２５）の内部に移動可能に収容される回転子（４０）と、
前記本体（２０）と前記密封蓋（３０）の間に組み付けられる漏れ防止リング（６０）と、
を含み、
前記本体（２０）の前記第２端（２２）は環状を呈する収容溝（７０）を有し、前記収容溝（７０）が前記漏れ防止リング（６０）を受けることを特徴とする漏れ防止機能付き噴霧ノズル。
【請求項２】
前記収容溝（７０）は、第１縁（７２）と、第２縁（７４）と、を有し、受け面（７６）は前記第１縁（７２）と前記第２縁（７４）の間に位置し、前記第１縁（７２）は前記第２縁（７４）よりも前記第２端（２２）の端面（２６）に近接し、前記受け面（７６）が傾斜状に形成されることを特徴とする、請求項１に記載の漏れ防止機能付き噴霧ノズル。
【請求項３】
前記受け面（７６）と前記第１縁（７２）と前記第２縁（７４）から、円弧形状の曲面が構成されることを特徴とする、請求項１に記載の漏れ防止機能付き噴霧ノズル。
【請求項４】
更に、漏れ止めユニット（５０）を含み、前記漏れ止めユニット（５０）は、バネ（５２）とプラグ（５４）から構成され、前記通路（２５）に組付けられており、前記回転子（４０）と前記入り口（２３）の間に位置することを特徴とする、請求項１に記載の漏れ防止機能付き噴霧ノズル。
【請求項５】
前記回転子（４０）の表面に係止構造（４６）が設けられ、前記係止構造（４６）は前記バネ（５２）を結合するためのものであることを特徴とする、請求項４に記載の漏れ防止機能付き噴霧ノズル。
【請求項６】
前記係止構造（４６）は環状突起であることを特徴とする、請求項５に記載の漏れ防止機能付き噴霧ノズル。
【請求項７】
前記密封蓋（３０）に噴水穴（３２）が設けられることを特徴とする、請求項１に記載の漏れ防止機能付き噴霧ノズル。
【考案の詳細な説明】
【技術分野】
【０００１】
本考案は、噴霧装置に関し、特に、噴出する、水、又は水に類似する液体をフォギングする漏れ防止機能付き噴霧ノズルに関するものである。
【背景技術】
【０００２】
吹きかけシステム又は吹きかけ装置の噴水口に噴霧ノズルを組付けることができる。水又は液体が噴霧ノズルを通過しているときには、噴霧ノズルの本体内に組み付けられる回転子と、噴水口にある小径な穴とにより、水又は液体がフォギングされる。
【０００３】
しかしながら、噴霧ノズルが水又は液体と長時期に接触すると、錆び又は水あかが発生し易い他、素子同士の螺着箇所でも錆び又は水あかが発生し易く、ひいては噴霧ノズルの各素子を分解することが困難となる。
【０００４】
図１を参照する。図１に示すのは従来の噴霧ノズル１０である。このような噴霧ノズル１０は、本体１１の内部には、回転子１２と、漏れ止めユニット１３と、が組み付けられる。本体１１の一端には、密封蓋１４と、止めブロック１５と、が組み付けられる。特に、密封蓋１４の裏面に環状溝１６が形成される。そうすると、環状溝１６に漏れ防止リング１７を組付けることができる。
【０００５】
本体１１の端部に、密封蓋１４、漏れ防止リング１７及び止めブロック１５の組合を組付けるときには、漏れ防止リング１７が本体１１と密封蓋１４の螺着位置１８に対応するため、水又は液体は、回転子１２と本体１１の間にある隙間１９を通過している際に、螺着位置１８に漏れることがない。これにより、螺着位置１８での錆び又は水あかの発生を低減できる。
【０００６】
しかしながら、密封蓋１４と本体１１をしっかり締結すると、漏れ防止リング１７が変形して隙間１９を塞ぐ。そうすると、水又は液体は隙間１９を順調に通過できなくなる。そして密封蓋１４の裏面に環状溝１６を設けることは困難である。
【考案の概要】
【考案が解決しようとする課題】
【０００７】
本考案の主な目的は、水又は液体の螺着位置への漏れを防止でき、加工が容易となる漏れ防止機能付き噴霧ノズルを提供することにある。
【課題を解決するための手段】
【０００８】
本考案の漏れ防止機能付き噴霧ノズルによると、軸方向の一端が第１端２１であり、軸方向の他端が第２端２２であり、第１端２１に入り口２３が設けられ、第２端２２に出口２４が設けられ、通路２５が入り口２３と出口２４を連通する本体２０と、
本体２０の第２端２２に組付けられる密封蓋３０と、
本体２０の通路２５の内部に移動可能に収容される回転子４０と、
本体２０と密封蓋３０の間に組み付けられる漏れ防止リング６０と、
を含み、
本体２０の第２端２２は環状を呈する収容溝７０を有し、収容溝７０が漏れ防止リング６０を受けることを特徴とする。
【０００９】
本考案の漏れ防止機能付き噴霧ノズルによると、収容溝７０は、第１縁７２と、第２縁７４と、を有し、受け面７６は第１縁７２と第２縁７４の間に位置し、第１縁７２は第２縁７４よりも第２端２２の端面２６に近接し、受け面７６が傾斜状に形成されることを特徴とする。
【００１０】
本考案の漏れ防止機能付き噴霧ノズルによると、受け面７６と第１縁７２と第２縁７４から、円弧形状の曲面が構成されることを特徴とする。
【００１１】
本考案の漏れ防止機能付き噴霧ノズルによると、更に、漏れ止めユニット５０を含み、漏れ止めユニット５０は、バネ５２とプラグ５４から構成され、通路２５に組付けられており、回転子４０と入り口２３の間に位置することを特徴とする。
【００１２】
本考案の漏れ防止機能付き噴霧ノズルによると、回転子４０の表面に係止構造４６が設けられ、係止構造４６はバネ５２を結合するためのものであることを特徴とする。
【００１３】
本考案の漏れ防止機能付き噴霧ノズルによると、係止構造４６は環状突起であることを特徴とする。
【００１４】
本考案の漏れ防止機能付き噴霧ノズルによると、密封蓋３０に噴水穴３２が設けられることを特徴とする。
【考案の効果】
【００１５】
本考案の漏れ防止機能付き噴霧ノズルによれば、水又は液体の螺着位置への漏れを防止でき、加工が容易となるという効果を有する。
【図面の簡単な説明】
【００１６】
【図１】従来の噴霧ノズルの構造を示す断面図である。
【図２】本考案の一実施例の分解斜視図である。
【図３】本考案の本体と漏れ防止リングの組付けを示す断面図である。
【図４】本考案の一実施例の使用状態を示す断面図である。
【図５】本考案の一実施例の回転子の外観図である。
【図６】本考案の一実施例の回転子の別の外観図である。
【図７】本考案の一実施例の組合済み状態を示す断面図である。
【図８】本考案の一実施例の分解状態を示す断面図である。
【考案を実施するための形態】
【００１７】
以下、本考案の実施の形態を図面に基づいて説明する。
【実施例】
【００１８】
まず、図２を参照する。本考案の一実施例の漏れ防止機能付き噴霧ノズルは、本体２０と、密封蓋３０と、回転子４０と、漏れ止めユニット５０と、漏れ防止リング６０と、を含む。
【００１９】
本体２０は、軸方向の一端が第１端２１であり、軸方向の他端が第２端２２である。第１端２１に入り口２３が設けられる。第２端２２に出口２４が設けられる。通路２５は入り口２３と出口２４を連通する。
【００２０】
密封蓋３０は、噴水穴３２を有し、締結方式で本体２０の第２端２２に組付けられる。漏れ防止リング６０は密封蓋３０と本体２０の間に組み付けられる。
【００２１】
回転子４０は、本体２０の通路２５の内部に移動可能に収容され、その一端に溝口４２が設けられる。漏れ止めユニット５０は、バネ５２とプラグ５４とから構成され、通路２５の内部に収容され、回転子４０と入り口２３の間に位置する。
【００２２】
図２及び図３を参照する。収容溝７０は本体２０の第２端２２に形成される。漏れ防止リング６０は収容溝７０に組み付けられる。
【００２３】
図３を参照する。収容溝７０は、第１縁７２と、第２縁７４と、を有する。受け面７６は第１縁７２と第２縁７４の間に位置する。第１縁７２は第２縁７４よりも第２端２２の端面２６に近接する。受け面７６は傾斜状に形成される。そして受け面７６、第１縁７２と第２縁７４から、円弧形状の曲面が構成される。
【００２４】
図４を参照する。各部品を組み合った後、漏れ防止リング６０は、密封蓋３０に圧迫され、密封蓋３０と本体２０の螺着位置８０に対応するため、水又は液体の螺着位置８０への漏れを防止できる。
【００２５】
また、収容溝７０は円弧形状を呈する曲面を有し、前記曲面が傾斜しているため、漏れ防止リング６０の変形は、第１縁７２に規制されて、本体２０の第２端２６に延びることはない。換言すると、漏れ防止リング６０は本体２０と回転子４０の間にある隙間８２に対応しないため、水又は液体は隙間８２を順調に通過して噴出できる。
【００２６】
水又は液体を噴出しない場合には、漏れ止めユニット５０により、噴出システムの管路（図示せず）内に残る水の侵入を止めることができる。
【００２７】
収容溝７０が本体２０の第２端２２に形成されるため、収容溝７０の加工が容易となる。上記の説明から明らかなように、本考案の漏れ防止機能付き噴霧ノズルによれば、漏れ防止効果が極めて有効であり、そして水又は液体をフォギングする機能に悪影響を与えない。
【００２８】
図５を参照する。回転子４０の底部に延長段４４が設けられる。延長段４４は、その直径が回転子４０の直径よりも小さく、その表面に係止構造４６が設けられる。係止構造４６は環状突起でもよい。
【００２９】
図６を参照する。図６に示す回転子４０の形状及び大きさは図５に示すものと異なるが、図５と同じように延長段４４及び係止構造４６を有する。
【００３０】
図７を参照する。図７に示すのは各部品の組合状態及び位置である。回転子４０はバネ５２の軸方向に沿ってバネ５２に挿入される。係止構造４６によりバネ５２が係止される。
【００３１】
図８を参照する。本体２０から密封蓋３０を取り外したと、本体２０から回転子４０を取り外すことができる。このとき、回転子４０の係止構造４６にバネ５２が係止されるため、漏れ止めユニット５０は回転子４０と共に取り出すことができる。
【００３２】
次に、回転子４０及び／又はバネ５２に力を加え、且つバネ５２が変形できるため、回転子４０の係止構造４６からバネ５２を分離することができる。
【００３３】
漏れ止めユニット５０は回転子４０と共に本体２０の内部から取り出され、且つ回転子４０及び／又はバネ５２を軽く引くと、回転子４０とバネ５２を容易に分離できるため、操作が極めて簡易で省力である。一方、各部品を分解したと、ユーザは各部品を便利に清潔できる。
【００３４】
このように、本考案が、特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【符号の説明】
【００３５】
１０：噴霧ノズル
１１：本体
１２：回転子
１３：漏れ止めユニット
１４：密封蓋
１５：止めブロック
１６：環状溝
１７：漏れ防止リング
１８：螺着位置
１９：隙間
２０：本体
２１：第１端
２２：第２端
２３：入り口
２４：出口
２５：通路
２６：端面
３０：密封蓋
３２：噴水穴
４０：回転子
４２：溝口
４４：延長段
４６：係止構造
５０：漏れ止めユニット
５２：バネ
５４：プラグ
６０：漏れ防止リング
７０：収容溝
７２：第１縁
７４：第２縁
７６：受け面
８０：螺着位置
８２：隙間
【産業上の利用可能性】
【００３６】
本考案は、噴霧ノズルに適用することができる。
【図１】
0003171412.tif 000003
【図２】
0003171412.tif 000004
【図３】
0003171412.tif 000005
【図４】
0003171412.tif 000006
【図５】
0003171412.tif 000007
【図６】
0003171412.tif 000008
【図７】
0003171412.tif 000009
【図８】
0003171412.tif 000010